(57)【要約】【課題】本来装着されるべき第１カードよりも長さ寸法が短く、装着されるべきでない第２カードが挿入口から誤挿入された際に、この第２カードを容易に抜き取ることができるカード用コネクタ装置の提供。【解決手段】装着可能な第１カード１が挿入される挿入口７ａと、第１カード１が装着される所定の装着部とを備えるとともに、第１カード１の挿入路内へ突出し、かつ、第１カード１よりも短い装着不能な第２カード２に移動規制力を付与するストッパ部材８を備え、挿入口７ａと上記ストッパ部材８との距離を、第２カード２の長さ寸法Ｌ２よりも短く設定し、第１カード１の挿入時に、ストッパ部材８の上記挿入路外への退避を可能にさせる、ストッパ部材８の収容が可能な収容部３ｃを含む退避手段を設けた。【選択図】      図６
2004192821.tif 000002
【特許請求の範囲】
【請求項１】
装着可能な第１カードが挿入される挿入口と、この挿入口から挿入された上記第１カードが装着される所定の装着部とを備えるとともに、
上記第１カードの挿入路内へ突出し、かつ、この第１カードよりも短い長さ寸法に設定され、上記挿入口から挿入された装着不能な第２カードに係合してこの第２カードに移動規制力を付与するストッパ部材を備え、
カードが挿入されない待機状態での上記挿入口と上記ストッパ部材との距離を、上記第２カードの長さ寸法よりも短く設定し、
上記第１カードの挿入時に、上記ストッパ部材の上記挿入路外への退避を可能にさせる退避手段を設けたことを特徴とするカード用コネクタ装置。
【請求項２】
上記請求項１記載の発明において、
上記ストッパ部材を摺動可能に設けるとともに、
このストッパ部材を上記挿入口方向へ付勢する付勢部材と、
上記挿入口と、摺動した上記ストッパ部材との距離が上記第２カードの長さ寸法以下であるときに、上記ストッパ部材の回動を規制する回動規制手段とを備え、
上記退避手段は、上記挿入口と上記ストッパ部材との距離が上記第２カードの長さ寸法を超えたとき、上記ストッパ部材の上記挿入路外への回動を許容させる許容領域を含むことを特徴とするカード用コネクタ装置。
【請求項３】
上記請求項２記載の発明において、
上記第１カードが装着される上記所定の装着部を有するハウジングと、
このハウジングに複数並設され、上記第１カードの外部接触部と接触可能な端子部材とを備えるとともに、
上記挿入口を上記ハウジングとは異なる部材に設けたことを特徴とするカード用コネクタ装置。
【請求項４】
上記請求項３記載の発明において、
上記ストッパ部材が上記ハウジング上を摺動する摺動部を有するとともに、
上記回動規制手段が、カード挿抜方向に延設され、上記ストッパ部材の上記摺動部を案内する溝部から成ることを特徴とするカード用コネクタ装置。
【請求項５】
上記請求項４記載の発明において、
上記許容領域が、上記溝部に連設され、上記ストッパ部材を収容可能な収容部から成るとともに、
上記退避手段が、上記溝部と上記収容部との境界に位置し、上記ストッパ部材を案内するテーパ部を含むことを特徴とするカード用コネクタ装置。
【発明の詳細な説明】
【０００１】
【発明の属する技術分野】
本発明は、各種電子機器に備えられ、装着されるべき第１カードとともに、この第１カードに比べて長さ寸法が短く、本来装着されるべきでない第２カードの誤挿入が生じ得るカード用コネクタ装置に関する。
【０００２】
【従来の技術】
従来のカード用コネクタ装置は、ハウジングに、小型メモリカード、すなわち情報記憶機能を有する第１カードが差し込まれる挿入口と、この第１カードの接触パッド、すなわち外部接触部と接触可能なコンタクト端子、すなわち端子部材とを備えたものがある。端子部材はハウジングの奥側に複数並設されている。これらの端子部材が設けられている位置が、第１カードが装着される所定の装着部を形成している。
【０００３】
すなわち、挿入口から挿入され、所定の装着部まで第１カードが押し込まれると、第１カードの外部接触部とハウジングの端子部材とが接触し、第１カードに対する信号の送受信が可能となる（例えば、特許文献１参照。）。
【０００４】
【特許文献１】
特開２００１−１３５３８５
（段落番号００１７〜００２１，００２８，００３０、図３〜７）
【０００５】
【発明が解決しようとする課題】
ところで昨今、小型メモリカードとして、上述した第１カードの長さ寸法よりもさらに短い長さ寸法を有する第２カードが要望されている。このような第２カードは、上述した従来のコネクタ装置との関係で懸念される問題がある。
【０００６】
すなわち、上述した従来のカード用コネクタ装置は、第１カードの装着用のコネクタ装置であることから、この第１カードの長さ寸法に相応する奥行寸法を備えている。このような奥行寸法を有するコネクタ装置に、誤って上述のように短い寸法に設定される第２カードが挿入口から差し込まれた場合には、すなわち誤挿入された場合には、その第２カードが挿入口から装置の奥側内部に入り込み、抜き取りが困難となる虞がある。
【０００７】
したがって、上述した第２カードに対する開発に関連して、第１カードが装着されるコネクタ装置において、本来装着されるべきでない第２カードの誤挿入を阻止したいという要望が強まってきている。
【０００８】
本発明は、上述した従来技術における実状からなされたもので、その目的は、本来装着されるべき第１カードよりも長さ寸法が短く、装着されるべきでない第２カードが挿入口から誤挿入された際に、この第２カードを容易に抜き取ることができるカード用コネクタ装置を提供することにある。
【０００９】
【課題を解決するための手段】
上記目的を達成するために、本発明は、装着可能な第１カードが挿入される挿入口と、この挿入口から挿入された上記第１カードが装着される所定の装着部とを備えるとともに、上記第１カードの挿入路内へ突出し、かつ、この第１カードよりも短い長さ寸法に設定され、上記挿入口から挿入された装着不能な第２カードに係合してこの第２カードに移動規制力を付与するストッパ部材を備え、カードが挿入されない待機状態での上記挿入口と上記ストッパ部材との距離を、上記第２カードの長さ寸法よりも短く設定し、上記第１カードの挿入時に、上記ストッパ部材の上記挿入路外への退避を可能にさせる退避手段を設けたことを特徴としている。
【００１０】
このように構成した本発明は、待機状態での挿入口とストッパ部材との距離を第２カードの長さ寸法よりも短く設定してあることから、挿入口から第２カードが誤挿入されたときには、この第２カードがストッパ部材に係合し、このストッパ部材を介して第２カードに移動規制力が与えられる。この移動規制力によって第２カードが挿入口よりも奥側内部に入り込まないようにすることができる。これにより、誤挿入された第２カードを挿入口から容易に抜き取ることができる。
【００１１】
また、本来装着されるべき第１カードが挿入口から挿入されたときには、退避手段を介して、ストッパ部材を第１カードの挿入路外へ退避させることができる。これにより、第１カードを支障なく所定の装着部まで移動させることができる。
【００１２】
また本発明は、上記発明において、上記ストッパ部材を摺動可能に設けるとともに、このストッパ部材を上記挿入口方向へ付勢する付勢部材と、上記挿入口と、摺動した上記ストッパ部材との距離が上記第２カードの長さ寸法以下であるときに、上記ストッパ部材の回動を規制する回動規制手段とを備え、上記退避手段は、上記挿入口と上記ストッパ部材との距離が上記第２カードの長さ寸法を超えたとき、上記ストッパ部材の上記挿入路外への回動を許容させる許容領域を含むことを特徴としている。
【００１３】
このように構成した本発明は、第２カードが誤挿入されたときには、回動規制手段によって第２カードに係合するストッパ部材の回動が規制される。このように回動が規制される間、ストッパ部材は付勢部材によって挿入口方向へ付勢された状態に保持される。したがって、例えば第２カードを押し込んでいた手指が挿入口に当った際に、第２カードに対する押し込み力を除くと、第２カードは挿入口方向に戻され、挿入口から突出する。
【００１４】
また、第１カードが挿入されたときには、この第１カードの挿入動作に伴ってストッパ部材が摺動し、挿入口とストッパ部材との距離が第２カードの長さ寸法を超えると、第１カードに係合しているストッパ部材が許容領域において回動し、第１カードの挿入路外へ移動する。これにより、第１カードに対するストッパ部材の係合が解除され、この第１カードを所定の装着部まで移動させることができる。
【００１５】
また本発明は、上記発明において、上記第１カードが装着される上記所定の装着部を有するハウジングと、このハウジングに複数並設され、上記第１カードの外部接触部と接触可能な端子部材とを備えるとともに、上記挿入口を上記ハウジングとは異なる部材に設けたことを特徴としている。
【００１６】
このように構成した本発明は、ハウジングと、このハウジングとは異なる部材との間隔寸法を適宜に設定することにより、異なる部材に設けられた挿入口からの第２カードの突出寸法を、第２カードを抜き取るのに好適な寸法とすることができる。
【００１７】
また本発明は、上記発明において、上記ストッパ部材が上記ハウジング上を摺動する摺動部を有するとともに、上記回動規制手段が、カード挿抜方向に延設され、上記ストッパ部材の上記摺動部を案内する溝部から成ることを特徴としている。
【００１８】
このように構成した本発明は、第２カードが誤挿入されたときには、第２カードに係合するストッパ部材が溝部に案内されてハウジング上を摺動するものの、ストッパ部材の摺動部が溝部によって回動が規制されることにより、このストッパ部材の回動が規制される。
【００１９】
また本発明は、上記発明において、上記許容領域が、上記溝部に連設され、上記ストッパ部材を収容可能な収容部から成るとともに、上記退避手段が、上記溝部と上記収容部との境界に位置し、上記ストッパ部材を案内するテーパ部を含むことを特徴としている。
【００２０】
このように構成した本発明は、装着されるべき第１カードが挿入されたときには、第１カードの移動に伴って、ストッパ部材が溝部からテーパ部に沿って案内された後、収容部に収容される。このようにしてストッパ部材を第１カードの挿入路外へ退避させることができる。
【００２１】
【発明の実施の形態】
以下、本発明のカード用コネクタ装置の実施形態を図に基づいて説明する。
【００２２】
図１は本発明のカード用コネクタ装置の一実施形態を示す図で、（ａ）図は装着可能な第１カードの挿入時の状態を示す平面図、（ｂ）図は第１カードが所定の装着部に保持された状態を示す平面図である。図２は図１の（ａ）図に関連する図で、図２の（ａ）図は図１の（ａ）図の要部拡大図、（ｂ）図は図２の（ａ）図のＡ−Ａ断面拡大図である。
【００２３】
図６は装着不能な第２カードが挿入されたときの状態を示す図で、（ａ）図は挿入時の状態を示す平面図、（ｂ）図は（ａ）図に示す状態から第２カードが押し込まれた状態を示す平面図である。
【００２４】
図７は本実施形態に備えられるストッパ部材を示す図で、（ａ）図は平面図、（ｂ）図は正面図、（ｃ）図は（ａ）図のＣ−Ｃ断面図、（ｄ）図は裏面図である。
【００２５】
はじめに、図１の（ａ）図と図６の（ａ）図によって、本実施形態のカード用コネクタ装置に装着可能な第１カードと、装着不能な第２カードについて説明する。次に、本実施形態の基本構成、及び特徴とする構成を、図１，２，７によって説明する。
【００２６】
［装着可能な第１カードと、装着不能な第２カード］
図１の（ａ）図に示すカードは、本実施形態に装着可能な第１カード１であり、本実施形態の奥行寸法に応じた長さ寸法Ｌ１を有している。同図１の（ａ）図の下方に位置する前端部の隅部には切り欠き１ａが形成されている。
【００２７】
図６の（ａ）図に示すカードは、本実施形態に装着されるべきでないカード、すなわち装着不能な第２カード２である。この第２カード２は、第１カード１の長さ寸法Ｌ１に比べて短い長さ寸法Ｌ２に設定されている。
【００２８】
なお、これらの第１カード１、第２カード２の幅寸法は、例えば同寸法に設定されている。したがって、第２カード２も本実施形態に挿入可能な形状寸法となっている。
【００２９】
［本実施形態の基本構成］
図１の（ａ）図に示すように、本実施形態は、基台を構成するハウジング３を備え、このハウジング３の奥側位置に複数の端子部材４を並設させてある。これらの端子部材４は、第１カード１の裏面に設けた図示しない外部接触部と接触可能になっている。すなわち、これらの端子部材４が設けられている部分が、第１カード１の所定の装着部を形成している。
【００３０】
ハウジング３の一方の側縁部付近には、第１カード１を排出方向に移動させるスライド部材５を配置してある。このスライド部材５は、第１カード１の切り欠き１ａに係合する係合部５ａを備えている。
【００３１】
このスライド部材５は、図示しない付勢部材によりカード排出方向、すなわちカードの挿入を許容させるハウジング３の開口３ａ方向に付勢されている。また、このスライド部材５は、ロック手段６によって、第１カード１が上述の所定の装着部に至ったとき、移動しないようにロックされる。すなわち、第１カード１が所定の装着部に保持されるように、スライド部材５はロック手段６によって係止されるようになっている。
【００３２】
ロック手段６は、例えばハウジング３に形成したハート型カム溝と、このハート型カム溝上を摺動するピンを備えた摺動部材とから成っている。摺動部材は、スライド部材６に揺動可能に支持されている。このような構成のロック手段６は公知である。
【００３３】
ハウジング３の前側位置、すなわち同図１の（ａ）図の上側位置には、ハウジング３とは異なる部材、例えばパネル７を配置してある。このパネル７に第１カード１の挿入口７ａを設けてある。前述したハウジング３の開口３ａと、パネル７の挿入口７ａとが適合するように、パネル７とハウジング３とを配置してある。したがって、第１カード１はパネル７の挿入口７ａ、ハウジング３の開口３ａを経て、ハウジング３の内部に挿入されるようになっている。
【００３４】
［本実施形態の特徴とする構成］
本実施形態は、図１の（ａ）図、図２の（ａ）図に示すように、ハウジング３の他方の側縁部付近に、第１カード１及び第２カード２に係合してこれらのカードに移動規制力、すなわち移動に際しての抵抗を付与するストッパ部材８を備えている。
【００３５】
このストッパ部材８は、図７にも示すように、ハウジング３上を摺動する摺動部８ａと、この摺動部８ａから延設されるアーム状に形成され、ハウジング３上の第１カード１の挿入路内へ突出可能な突出部８ｂと、摺動部８ａに設けられるばね受８ｃとを備えている。
【００３６】
また、ストッパ部材８をパネル７の挿入口７ａ方向へ付勢する付勢部材９を備えている。この付勢部材９の一端はストッパ部材８のばね受８ｃに係着され、他端はハウジング３に設けたばね受３ｅに係着させてある。
【００３７】
第１カード１、第２カード２がハウジング３に挿入されない待機状態での挿入口７ａからストッパ部材８に至るまでの距離、すなわち図６に示す長さ寸法Ｌは、第２カード２の長さ寸法Ｌ２よりも短くなるようにあらかじめ設定してある。
【００３８】
また本実施形態は、第１カード１の挿入時に、ストッパ部材８の上述した挿入路外への退避を可能にさせる退避手段を備えている。この退避手段は、挿入口７ａとストッパ部材８との距離が第２カード２の長さ寸法Ｌ２を超えたとき、ストッパ部材８の上述した挿入路外への回動を許容させる許容領域を含んでいる。この許容領域は、例えばハウジング３に形成され、ストッパ部材８を収容可能な収容部３ｃから成っている。
【００３９】
また本実施形態は、挿入口７ａと、摺動したストッパ部材８との距離が第２カード２の長さ寸法Ｌ２以下であるときに、このストッパ部材８の回動を規制する回動規制手段を備えている。この回動規制手段は、例えば図２の（ａ）（ｂ）図に示すように、カード挿抜方向に沿うようにハウジング３に延設され、ストッパ部材８の摺動部８ａを案内する溝部３ｂから成っている。第１カード１の挿入路側に位置する溝部３ｂの一方の側縁部、すなわち第１縁部３ｂ１に比べて、他方の縁部すなわち第２縁部３ｂ２の長さ寸法を短く設定してある。ストッパ部材８の摺動部８ａが溝部３ｂ内に位置する状態では、ストッパ部材３の摺動部８ａの一方の側面は溝部３ｂの第１縁部３ｂ１に対向し、この第１縁部３ｂ１に向う方向の摺動部８ａの回動が規制されている。また、この摺動部８ａの他方の側面は溝部３ｂの第２縁部３ｂ２に対向し、この第２縁部３ｂ２に向う方向の摺動部８ａの回動が規制されている。
【００４０】
上述した収容部３ｃは、溝部３ｂに連設させてある。また、溝部３ｂと収容部３ｃとの境界には、ストッパ部材８の摺動部８ａの上述した他方の側面を案内するテーパ部３ｄを設けてある。このテーパ部３ｄにより、カード挿抜方向と直交する方向の溝部３ｂの幅寸法に比べて、収容部３ｃの幅寸法が大きくなるように設定されている。
【００４１】
なお、上述したテーパ部３ｄも、収容部３ｃとともに、第１カード１の挿入時に、ストッパ部材８の上述の挿入路外への退避を可能にさせる退避手段を構成している。
【００４２】
以下、このように構成した本実施形態の動作について、前述した図１，２，６、及び図３〜５に基づいて説明する。
【００４３】
なお、図３は挿入口から挿入された第１カードが押し込まれた状態を示す図で、（ａ）図は平面図、（ｂ）図は（ａ）図の要部拡大図である。図４は図３に示す状態からさらに第１カードが押し込まれた状態を示す図で、（ａ）図は平面図、（ｂ）図は（ａ）図の要部拡大図である。図５は図４のＢ−Ｂ断面拡大図である。
【００４４】
［本実施形態に装着可能な第１カードの装着操作］
図１の（ａ）図、図２の（ａ）（ｂ）に示すように、第１カード１がパネル７の挿入口７ａ、ハウジング３の開口３ａを経てハウジング３内に挿入されると、この第１カード１の前端部がストッパ部材８の突出部８ｂに係合する。
【００４５】
上述の状態から第１カード１がさらに押し込まれると、図３の（ａ）（ｂ）図に示すように、付勢部材９の付勢力に抗してストッパ部材８が第１カード１と一体になって摺動する。このとき、ストッパ部材８の摺動部８ａが溝部３ｂに案内され、カード挿抜方向に移動する。また、ストッパ部材８の一方の側面に溝部３ｂの第１縁部３ｂ１が対向し、他方の側面に溝部３ｂの第２縁部３ｂ２が対向した状態に保たれることから、ストッパ部材８は回動しない状態に保持される。
【００４６】
上述の状態から第１カード１がさらに押し込まれると、同図４の（ａ）（ｂ）図に示すように、ストッパ部材８の摺動部８ａの上述した他方の側面が溝部３ｂの第２縁部３ｂ２からテーパ部３ｄに案内され、これによってストッパ部材８が回動し、このストッパ部材８の全体が収容部３ｃ内に収容される。これにより、ストッパ部材８の突出部８ｂと第１カード１との係合が解かれ、ストッパ部材８による第１カード１に対する移動規制力の付与は解除される。例えば、このような状態において同図４の（ａ）（ｂ）図に示すように、第１カード１の切り欠き１ａがスライド部材５の係合部５ａと係合する。
【００４７】
したがって、第１カード１がさらに装置奥側に向って押し込まれると、第１カード１と一体にスライド部材５が装置奥側に移動する。この第１カード１を所定の装着部を超えるようにオーバストロークさせた状態から、すなわち、第１カード１の前端部がハウジング３の壁部に当るように押し込まれた状態から、第１カード１に与えられていた押し込み力が除かれると、スライド部材５及び第１カード１は、挿入口７ａ方向にわずかに戻される。その位置でスライド部材５がロック手段６によってロックされる。すなわち、図１の（ｂ）図に示すように、第１カード１が所定の装着部に係止される。
【００４８】
このとき、第１カード１の図示しない外部接触部が端子部材４に接触する。したがって、第１カード１に対する信号の送受信が可能となる。
【００４９】
また、このように第１カード１が所定の装着部に係止保持されている状態から、第１カード１が再び押されると、この第１カード１と係合するスライド部材５がオーバストロークし、これによってスライド部材５に対するロック手段６のロックが解除される。したがって、このスライド部材５を挿入口７ａ方向に付勢する図示しない付勢手段の付勢力により、スライド部材５及び第１カード１が挿入口７ａ方向に戻される。すなわち、図１の（ｂ）図に示す状態から図４の（ａ）図に示す状態に復帰する。
【００５０】
例えば、この状態において、第１カード１を抜き取ることができる。この抜き取り動作の間、図４の（ａ）図に示す状態から、図３の（ａ）図に示す状態を経て、図１の（ａ）図に示す状態へと順次変化する。すなわち、付勢部材９の付勢力によりストッパ部材８の摺動部８ａの上述の他方の側面が、テーパ部３ｄに沿って案内され、この摺動部８ａが溝部９に収容される。この動作に伴って、ストッパ部材８が、上述とは逆方向に回動し、これにより突出部８ｂの主要部分が収容部３ｃから脱出し、この突出部８ｂが第１カード１の前端部に係合する。その後ストッパ部材８は、第１カード１の抜き取り動作に伴って、付勢部材９の付勢力により挿入口７ａ方向に摺動し、初期位置、すなわち待機位置に至る。
【００５１】
以上のように、第１カード１の装着操作に際しては、第１カード１の移動に伴ってストッパ部材８が第１カード１の挿入路外へ適宜回動するので、何らの支障を生じることなく、この第１カード１を所定の装着部に係止させることができる。また、スライド部材５を介して第１カード１をスムーズに排出させることができる。
【００５２】
［本実施形態に装着可能な第２カードの誤挿入］
また、本来挿入されるべきでない第２カード２が図６の（ａ）図に示すように、パネル７の挿入口７ａ、ハウジング３の開口３ａを経てハウジング３内に誤挿入され、押し込まれると、この第２カード２の前端部がストッパ部材８の突出部８ｂに係合する。
【００５３】
さらに押し込まれると、図６の（ｂ）図に示すように、第２カード２を押し込んでいた手指がパネル７に当る事態を生じる。このとき、前述したように挿入口７ａと、摺動したストッパ部材８との距離が第２カード２の長さ寸法Ｌ２以下であるときは、回動規制手段によってストッパ部材８の回動が規制される。すなわち、ストッパ部材８の摺動部８ａが溝部３ｂ内に位置しており、この摺動部８ａの両側面が溝部３ｂの第１縁部３ｂ１、第２縁部３ｂ２のそれぞれに対向し、これによって溝部３ｂ内における摺動部８ａの回動が規制される。したがって、ストッパ部材８の突出部８ｂが第２カード２の前端部に係合する状態に保たれる。
【００５４】
上述のように手指がパネル７に当ったときに、第２カード２に与えられていた押し込み力が解かれると、付勢部材９の力によりストッパ部材８が挿入口７ａ方向に戻される。このストッパ部材８の移動に伴って一体的に第２カード２が挿入口７ａ方向に戻され、図６の（ａ）図に示す状態となる。したがって、誤挿入された第２カード２を挿入口７ａから抜き取り可能に突出させることができる。
【００５５】
このように構成した本実施形態は、第２カード２が挿入口７ａから誤挿入された際に、その誤挿入を確実に阻止できる。すなわち、上述のように付勢部材９の付勢力によるストッパ部材８の挿入口７方向の移動によって、第２カード２を挿入口７ａから突出させることができ、この第２カード２を容易に抜き取ることができる。これにより、装着されるべきでない第２カード２の誤挿入を確実に阻止することができ、装置としての優れた信頼性を確保できる。
【００５６】
また、本実施形態は、第１カード１の挿入口７ａをハウジング３とは異なる部材であるパネル７に設けた構成にしてある。したがって、ハウジング３とパネル７との間隔寸法を適宜に設定することにより、挿入口７ａからの第２カード２の突出寸法を、第２カード２を抜き取るのに好適な寸法とすることができる。
【００５７】
【発明の効果】
以上のように構成してあることから、本発明は、本来装着されるべき第１カードよりも長さ寸法が短く、装着されるべきでない第２カードが挿入口から誤挿入された際に、この第２カードでは必ずストッパ部材によって移動規制されるため、容易に抜き取ることができる。したがって、装着されるべきでない第２カードの誤挿入を確実に阻止することができ、装置に対する優れた信頼性を確保することができる。
【図面の簡単な説明】
【図１】本発明のカード用コネクタ装置の一実施形態を示す図で、（ａ）図は装着可能な第１カードの挿入時の状態を示す平面図、（ｂ）図は第１カードが所定の装着部に保持された状態を示す平面図である。
【図２】図１の（ａ）図に関連する図で、図２の（ａ）図は図１の（ａ）図の要部拡大図、（ｂ）図は図２の（ａ）図のＡ−Ａ断面拡大図である。
【図３】挿入口から挿入された第１カードが押し込まれた状態を示す図で、（ａ）図は平面図、（ｂ）図は（ａ）図の要部拡大図である。
【図４】図３に示す状態からさらに第１カードが押し込まれた状態を示す図で、（ａ）図は平面図、（ｂ）図は（ａ）図の要部拡大図である。
【図５】図４のＢ−Ｂ断面拡大図である。
【図６】装着不能な第２カードが挿入されたときの状態を示す図で、（ａ）図は挿入時の状態を示す平面図、（ｂ）図は（ａ）図に示す状態から第２カードが押し込まれた状態を示す平面図である。
【図７】本実施形態に備えられるストッパ部材を示す図で、（ａ）図は平面図、（ｂ）図は正面図、（ｃ）図は（ａ）図のＣ−Ｃ断面図、（ｄ）図は裏面図である。
【符号の説明】
１      第１カード
１ａ    切り欠き
２      第２カード
３      ハウジング
３ａ    開口
３ｂ    溝部（回動規制手段）
３ｂ１  第１縁部
３ｂ２  第２縁部
３ｃ    収容部（許容領域）〔退避手段〕
３ｄ    テーパ部（退避手段）
３ｅ    ばね受
４      端子部材
５      スライド部材
５ａ    係合部
６      ロック手段
７      パネル
７ａ    挿入口
８      ストッパ部材
８ａ    摺動部
８ｂ    突出部
８ｃ    ばね受
９      付勢部材
Ｌ      長さ寸法
Ｌ１    長さ寸法
Ｌ２    長さ寸法
【図１】
2004192821.tif 000003
【図２】
2004192821.tif 000004
【図３】
2004192821.tif 000005
【図４】
2004192821.tif 000006
【図５】
2004192821.tif 000007
【図６】
2004192821.tif 000008
【図７】
2004192821.tif 000009